(57)【要約】【課題】  感光材料の位置合わせを１つの部材で調整可能とすることで、感光材料の装填作業の効率化を図り、さらには持ち運びをしやすくすることである。【解決手段】  このマガジンには、ロール状の記録媒体が装填されるカバーと、カバーの内部で記録媒体の一端部に接触するように固定されて、当該記録媒体の幅方向の移動を規制する第１規制部と、カバーの内部で第１規制部に対向した状態で幅方向に調整自在となるように配置されて、記録媒体の他端部に接触して当該記録媒体の幅方向の移動を規制する第２規制部とが設けられている。そしてマガジンには、カバーの外側に取り付けられて、少なくとも一部が幅方向に沿って延在する取っ手が備えられている。【選択図】図４
2006259314.tif 000002
【特許請求の範囲】
【請求項１】
複数の幅サイズのロール状の記録媒体が交換可能に装填されるカバーと、
前記カバーの内部で前記記録媒体の一端部に接触するように固定されて、当該記録媒体の幅方向の移動を規制する第１規制部と、
前記カバーの内部で前記第１規制部に対向した状態で幅方向に調整自在となるように配置されて、前記記録媒体の他端部に接触して当該記録媒体の幅方向の移動を規制する第２規制部と、
前記カバーの外側に取り付けられて、少なくとも一部が幅方向に沿って延在する取っ手とを備えることを特徴とするマガジン。
【発明の詳細な説明】
【技術分野】
【０００１】
本発明は、マガジンに係り、特にロール状の記録媒体が装填されるマガジンに関する。
【背景技術】
【０００２】
いわゆる「ミニラボ」と呼ばれる感光材料処理装置は、現像済みの写真フィルムを感光用記録媒体（感光材料）にプリントするために、写真プリントを業とする店舗で多く使用されている。感光材料処理装置には、感光材料を装填するためのマガジンが設けられている（例えば特許文献１参照）。感光材料はロール状に巻かれた状態でマガジンに装填されるようになっていて、装填後においてはマガジン内の一対のガイド部により両端が挟まれて、幅方向の移動が規制されることになっている。この一対のガイド部は、様々なサイズの感光材料を挟むために両者ともに幅方向に沿って移動するようになっている。一対のガイド部を位置合わせするときには、各サイズの感光材料の中心位置を一定にする必要があるために、一対のガイド部のそれぞれを調整する必要があった。
【特許文献１】特開２００４−２７１６７３号公報
【発明の開示】
【発明が解決しようとする課題】
【０００３】
ここで、感光材料の装填作業を効率化するために、上記したように一対のガイド部のそれぞれを調整するよりも、１つの部材を調整することで感光材料の位置調整を行うことが望まれている。
そして、従来はアナログ露光であり、幅サイズが異なったとしても感光材料の中心を一定にする必要があったが、近年開発されたデジタル露光系により、露光位置が任意に設定できるようになった。これにより、上記したような１つの部材を調整して感光材料の位置調整を行うことの実現性が高まったが、幅サイズが異なれば感光材料の中心位置がずれてしまうために、持ち運び時のバランスが悪くなることが推測される。
【０００４】
本発明の課題は、感光材料の位置合わせを１つの部材で調整可能とすることで、感光材料の装填作業の効率化を図り、さらには持ち運びをしやすくすることである。
【課題を解決するための手段】
【０００５】
請求項１記載の発明におけるマガジンは、
複数の幅サイズのロール状の記録媒体が交換可能に装填されているカバーと、
前記カバーの内部で前記記録媒体の一端部に接触するように固定されて、当該記録媒体の幅方向の移動を規制する第１規制部と、
前記カバーの内部で前記第１規制部に対向した状態で幅方向に調整自在となるように配置されて、前記記録媒体の他端部に接触して当該記録媒体の幅方向の移動を規制する第２規制部と、
前記カバーの外側に取り付けられて、少なくとも一部が幅方向に沿って延在する取っ手とを備えることを特徴としている。
【発明の効果】
【０００６】
本発明によれば、カバーの内部で固定された第１規制部に対向した状態で、第２規制部は幅方向に調整自在となるように配置されているので、第２規制部の位置調整は可能である。つまり、記録媒体の位置合わせは、第２規制部のみを調整することで行われることになるために、記録媒体の装填作業を効率化することができる。
ここで、上述した従来のマガジンであれば、各サイズの記録媒体の中心位置が一定となるが、この発明では、第１規制部は固定された状態で第２規制部のみを調整することで記録媒体の位置合わせが行われる。つまり、記録媒体の一端部は何れのサイズの記録媒体であっても同一の場所に配置されるために、中心位置はサイズ毎にばらつくことになる。これではマガジン全体の重心位置がサイズにより幅方向に変動してしまう。しかしながら、この発明では取っ手の少なくとも一部が幅方向に沿って延在しているので、マガジンを持ち上げたり移動させたりする際には、マガジンの重心位置に合わせて把握位置を変えることができ、マガジンの持ち上げ、移動を容易に行うことができる。
【発明を実施するための最良の形態】
【０００７】
以下、本発明の実施の形態を、図１から図１０を参照して説明する。
【０００８】
図１は、本発明に係るマガジンを適用した感光材料処理装置の一実施形態の概略構成を示す図である。感光材料処理装置１は、本発明の記録媒体である感光材料に対して露光及び現像を行うことで、感光材料上に画像を形成する装置である。この感光材料処理装置１には、画像データに基づいて感光材料の露光処理を行う露光処理装置２と、露光された感光材料に現像、乾燥、ソータ、補充などの現像処理を行う現像処理装置３とが備えられている。露光処理装置２には、露光処理手段の各構成部を内部に搭載した露光処理装置本体４と、露光処理装置本体４の外部に配置されて当該露光処理装置本体４に感光材料を供給するためのマガジン５とが設けられている。
【０００９】
図２はマガジン５の概略構成を表す斜視図である。この図２に示すように、マガジン５には、複数の幅サイズのロール状の感光材料Ｐ（図４参照）が交換可能に装填されるカバー６と、カバー６内で感光材料Ｐを回転自在に支持する回転軸７とが備えられている。
【００１０】
カバー６の上部一側方には、露光処理装置本体４に連結される連結部６０が設けられている。連結部６０には、感光材料Ｐを露光処理装置本体４に供給するための供給口６２が設けられている。この供給口６２は、マガジン５に装填可能な最大幅の感光材料Ｐに対応する長さで開口している。また、カバー６の下部他側方には、ヒンジ６１（図３参照）が設けられている。カバー６は、連結部６０からヒンジ６１にかけて２分割されていて、ヒンジ６１を回転中心として開放されるようになっている。ここで、２分割されたカバー６のうち、上側に位置する部分を第１カバー部６３とし、下側に位置する部分を第２カバー部６４とする。
【００１１】
図３及び図４は、開放時におけるカバー６を表す図であり、図３は側断面図、図４は上面図である。この図３及び図４に示すように、第１カバー部６３と第２カバー部６４との接合部分における略中央には、回転軸７を回転自在に支持するための凹部６５，６６が形成されている。この凹部６５，６６に回転軸７を取り付けて、第１カバー部６３及び第２カバー部６４を閉じると、カバー６内部が遮光されるようになっている。また、これにより回転軸７の軸方向とカバー６の幅方向とは同一方向となる。
【００１２】
図２及び図３に示すように第１カバー部６３の外周面には取っ手６７が取り付けられている。この取っ手６７には、カバー６の閉塞時における第１カバー部６３の上面から側面にかけて幅方向に直交するように配置された第１部材６７１と、第１カバー部６３の上面で第１部材６７１に交わるように幅方向に延在する第２部材６７２とが備えられている。第１カバー部６３及び第２カバー部６４が開放されると、図３に示すように第１部材６７１は床に接触して第１カバー部６３を支持することになる。
また、第１カバー部６３の先端部には、供給口６２に感光材料Ｐを案内するための第１案内機構６８が設けられている。
【００１３】
図５は、第２カバー部６４の概略構成を表す斜視図である。この図５に示すように、第２カバー部６４の先端部には、第１案内機構６８と協同して供給口６２に感光材料Ｐを案内するための第２案内機構６９が設けられている。また、第２カバー部６４の内部には、回転軸７に支持されたロール状の感光材料Ｐを挟んで、幅方向の移動を規制する一対のガイド部８１，８２設けられている。
【００１４】
図６及び図７は、ガイド部８１，８２の概略構成を表す図であり、図６は斜視図、図７は上面図である。ガイド部８１，８２には、第２カバー部６４の底部６４１に固定される基台８３と、基台８３の一端から垂直に立設する立設部８４とが設けられている。
基台８３には、第２カバー部６４の底部６４１にネジ止めされる際にネジ６４２（図５参照）が挿通される挿通孔８５が幅方向に沿って形成されている。
【００１５】
立設部８４には、ロール状の感光材料Ｐの端面を摺擦するための摺擦ユニット９が着脱自在に取り付けられている。摺擦ユニット９には、立設部８４にネジ止めされる上面視略Ｌ字状のフレーム９１と、フレーム９１に固定されて感光材料Ｐの端面を摺擦するブラシ９２とが備えられている。
【００１６】
そして、図５に示すように、一対のガイド部８１，８２のうち、一方のガイド部８１は、立設部８４が第２カバー部６４の内側面に接触するように固定されている。これにより、一方のガイド部８１は、第２カバー部６４の内部で感光材料Ｐの一端部に接触するように固定されることになる。つまり、一方のガイド部８１が本発明に係る第１規制部である。
【００１７】
また、他方のガイド部８２は当該ガイド部８２の立設部８４が一方のガイド部８１の立設部８４に対向するように取り付けられている。この他方のガイド部８２は、ネジ６４２をゆるめることで幅方向に沿って移動可能となって、ネジ６４２を締めればその位置で固定されるので、一方のガイド部８１に対向した状態で当該ガイド部８１との相対的な位置を調整できるようになっている。これにより、感光材料Ｐが何れのサイズであってもの一端部に一方のガイド部８１が接触し、他端部に他方のガイド部８２が接触するようになっている。つまり、この他方のガイド部８２が本発明に係る第２規制部である。
【００１８】
回転軸７には、図４に示すように、ロール状の感光材料Ｐの中空部に貫通されて、当該感光材料Ｐを支持する支持部７１と、支持部７１の両側方でカバー６の凹部６５，６６に係合する係合溝７２とが備えられている。回転軸７に支持されたロール状の感光材料Ｐは、一対のガイド部８１，８２によって挟まれて、幅方向の移動が規制されることになる。
【００１９】
次に、本実施形態の作用について説明する。
感光材料Ｐを補充する際、まず作業者はマガジン５を露光処理装置本体４から取り外して、カバー６を開放する。その後作業者は回転軸７をカバー６から取り外し、新たな感光材料Ｐを第２カバー部６４に装填する。この装填時においては、新たな感光材料Ｐの幅と、一対のガイド部８１，８２の幅とが同等になるように、予めネジ６４２をゆるめ他方のガイド部８２の位置を調整してからネジ６４２を締めておく。調整後、作業者は新たな感光材料Ｐを一対のガイド部８１，８２の間に配置する。これにより、新たな感光材料Ｐはその両端を一対のガイド部８１，８２によって挟まれて幅方向の移動が規制されることになる。
【００２０】
そして、作業者は新たな感光材料Ｐの中空部に回転軸７を貫通させてから、回転軸７の係合溝７２とカバー６の凹部６５，６６とを係合させるように、回転軸７及び感光材料Ｐを移動させる（図４参照：２点鎖線部が感光材料Ｐである。）。これにより、他方のガイド部８２の挿通孔８５上には空間ができるので、作業者はネジ６４２を締めて他方のガイド部８２を固定する。
【００２１】
ガイド部８２の固定が完了すると、作業者はカバー６を閉じてマガジン５を露光処理装置本体４に取り付ける。ここで、感光材料Ｐがカバー６内で一側方に寄っているために、マガジン５の重心位置も幅方向における中心に位置せずに一側方に寄ることになる。しかしながら、取っ手６７の第２部材６７２が幅方向に延在しているために、重心位置が中心からずれていたとしても重心位置に合わせて把握位置を変えることができる。これにより、持ち上げ時にマガジン５のバランスを取ることができ、露光処理装置本体４に取り付ける際の作業性を高めることができる。
【００２２】
露光処理装置本体４にマガジン５を取り付けた後、第１案内機構６８及び第２案内機構６９により感光材料Ｐの搬送が行われると、図８に示すようにカバー６の一側方に寄った状態で感光材料Ｐは供給口６２から露光処理装置本体４に供給されることになる。
【００２３】
以上のように、本実施形態のマガジン５によれば、カバー６の内部で固定された一方のガイド部８１に対向した状態で、他方のガイド部８２は幅方向に調整自在となるように配置されているので、他方のガイド部８２の位置調整は可能である。つまり、感光材料Ｐの位置合わせは、他方のガイド部８２のみを調整することで行われることになるために、感光材料Ｐの装填作業を効率化することができる。
特に、他方のガイド部８２のみを調整すればよいので、従来のように一対のガイド部のそれぞれを調整する場合よりも、位置合わせ精度も高まることになる。
また、本実施形態では、取っ手６７の第２部材６７２が幅方向に延在しているので、マガジン５を持ち上げたり移動させたりする際には、マガジン５の重心位置に合わせて把握位置を変えることができ、マガジン５の持ち上げ、移動を容易に行うことができる。
【００２４】
なお、本発明は上記実施形態に限らず適宜変更可能であるのは勿論である。
例えば、本実施形態では、感光材料が装填されるマガジンを例示して説明したが、感光材料以外の記録媒体が装填されるマガジンであっても適用可能である。
また、本実施の形態では、第１規制部が第２カバー部６４に取り付けられる一方のガイド部８１である場合について説明したが、第１規制部は第２カバー部６４自体であっても、第２カバー部６４に一体的に形成された別個の部材であっても構わない。
【００２５】
また、本実施形態では、取っ手６７が第１部材６７１と第２部材６７２とから形成されている場合を例示して説明したが、取っ手はその少なくとも一部が幅方向に延在していれば如何様な形態であってもよく、例えば図９のマガジン５Ａに備わる取っ手６７Ａや、図１０のマガジン５Ｂに備わる取っ手６７Ｂ等が挙げられる。具体的に説明すると、取っ手６７Ａは、図９に示すようにカバー６の閉塞時における第１カバー部６３の上面で幅方向に沿って延在するように形成されている。一方、取っ手６７Ｂには、カバー６の閉塞時における第１カバー部６３の上面から側面にかけて幅方向に直交するように配置された第１部材６７３と、第１カバー部６３の角部で第１部材６７１に交わるように幅方向に延在する第２部材６７３と、第１カバー部６３の上面で第１部材６７１に交わるように幅方向に延在する第３部材６７５とが備えられている。
【図面の簡単な説明】
【００２６】
【図１】本発明に係るマガジンを適用した感光材料処理装置の一実施形態の概略構成を示す図である。
【図２】本発明に係るマガジンの概略構成を表す斜視図である。
【図３】図２のマガジンに備わるカバーの開放状態を表す側断面図である。
【図４】図３のカバーを表す上面図である。
【図５】図３のカバーに備わる第２カバー部の概略構成を表す斜視図である。
【図６】図５の第２カバー部に備わるガイド部の概略構成を表す斜視図である。
【図７】図６のガイド部を表す上面図である。
【図８】図２のマガジンから感光材料が引き出された状態を表す斜視図である。
【図９】図２のマガジンに備わる取っ手の変形例を表す斜視図である。
【図１０】図２のマガジンに備わる取っ手の変形例を表す斜視図である。
【符号の説明】
【００２７】
１      感光材料処理装置
２      露光処理装置
３      現像処理装置
４      露光処理装置本体
５      マガジン
６      カバー
７      回転軸
９      摺擦ユニット
６０      連結部
６１      ヒンジ
６２      供給口
６３      第１カバー部（第１規制部）
６４      第２カバー部（第２規制部）
６５，６６      凹部
６７      取っ手
６８      第１案内機構
６９      第２案内機構
７１      支持部
７２      係合溝
８１，８２      ガイド部
８３      基台
８４      立設部
８５      挿通孔
６４１      底部
６４２      ネジ
６７１      第１部材
６７２      第２部材
Ｐ      感光材料（記録媒体）
【図１】
2006259314.tif 000003
【図２】
2006259314.tif 000004
【図３】
2006259314.tif 000005
【図４】
2006259314.tif 000006
【図５】
2006259314.tif 000007
【図６】
2006259314.tif 000008
【図７】
2006259314.tif 000009
【図８】
2006259314.tif 000010
【図９】
2006259314.tif 000011
【図１０】
2006259314.tif 000012